(57)【要約】【課題】低い圧力からでもフラッパーを動作させ、高温ガスを放出することが可能な放圧装置を提供する。【解決手段】遮断器などの収納機器を収納する箱体１と、箱体１の天井開口部に設けられるとともに、複数枚に分割され、それぞれがトルクヒンジ１０ａ、１０ｂ、１０ｃ、１０ｄで固定された開閉自在のフラッパー１１ａ、１１ｂ、１１ｃ、１１ｄとを備えている。そして、天井開口部は、フラッパー１１ａ、１１ｂ、１１ｃ、１１ｄで覆われており、圧力上昇時には低い圧力からいずれかのフラッパー１１ａ（１１ｂ、１１ｃ、１１ｄ）を動作させる。【選択図】  図１
2014045614.tif 000002
【特許請求の範囲】
【請求項１】
箱体と、
前記箱体の天井開口部に設けられるとともに、複数枚に分割された開閉自在のフラッパーと、
を備えたことを特徴とする金属閉鎖形スイッチギヤの放圧装置。
【請求項２】
前記フラッパーに面積拡大部を設けたことを特徴とする請求項１に記載の金属閉鎖形スイッチギヤの放圧装置。
【請求項３】
前記天井開口部に中央部が頂点となるような三角状の載置架台を設け、前記フラッパーを載置したことを特徴とする請求項１または請求項２に記載の金属閉鎖形スイッチギヤの放圧装置。
【請求項４】
前記フラッパーを断面Ｌ字状とし、前記天井開口部と対向する側にバランス荷重を設けたことを特徴とする請求項１乃至請求項３のいずれか１項に記載の金属閉鎖形スイッチギヤの放圧装置。
【請求項５】
前記フラッパーを前記箱体の金属材料よりも軽量の金属材料で構成したことを特徴とする請求項１乃至請求項４のいずれか１項に記載の金属閉鎖形スイッチギヤの放圧装置。
【発明の詳細な説明】
【技術分野】
【０００１】
本発明の実施形態は、圧力上昇時の高温ガスの放出特性を向上し得る金属閉鎖形スイッチギヤの放圧装置に関する。
【背景技術】
【０００２】
従来、箱体内に設置した収納機器などがアークを発生し、内部圧力が上昇すると、天井に設けているフラッパーを動作させ、高温ガスを放出することが知られている。これにより、内部圧力を低下させ、正面扉など箱体が変形し、正面側に高温ガスが噴出することを防止している（例えば、特許文献１参照。）。
【０００３】
この種の金属閉鎖形スイッチギヤを図５に示すが、箱体１には、正面側に開閉ハンドル２を有する開閉自在の正面扉３が設けられている。天井開口部には、一辺がトルクヒンジ４で固定された開閉自在の矩形状で板状のフラッパー５が設けられている。
【０００４】
これらの構成により、内部圧力が上昇すると、図示二点鎖線で示すように、トルクヒンジ４を支点として、フラッパー５が動作し、高温ガスが放出される。しかしながら、フラッパー５は、１枚もので天井面の全域をカバーするように設けられており、比較的に重量物となる。このため、圧力が最大値に近づき、所定の圧力に達しないと動作しないことが起きる。アークエネルギーが小さく圧力上昇が低い場合では、フラッパー５が動作せず、正面扉３などから高温ガスが噴出することがある。
【先行技術文献】
【特許文献】
【０００５】
【特許文献１】特開２０１１−５５６７２号公報
【発明の概要】
【発明が解決しようとする課題】
【０００６】
本発明が解決しようとする課題は、アーク発生に伴って内部圧力が上昇した場合、低い圧力からでも天井に設けたフラッパーを動作させ、高温ガスを放出する金属閉鎖形スイッチギヤの放圧装置を提供することにある。
【課題を解決するための手段】
【０００７】
上記課題を解決するために、実施形態の金属閉鎖形スイッチギヤの放圧装置は、箱体と、前記箱体の天井開口部に設けられるとともに、複数枚に分割された開閉自在のフラッパーとを備えたことを特徴とする。
【図面の簡単な説明】
【０００８】
【図１】本発明の実施例１に係る金属閉鎖形スイッチギヤの放圧装置の構成を示す斜視図。
【図２】本発明の実施例２に係る金属閉鎖形スイッチギヤの放圧装置の構成を示す斜視図。
【図３】本発明の実施例３に係る金属閉鎖形スイッチギヤの放圧装置の構成を示す斜視図。
【図４】本発明の実施例４に係る金属閉鎖形スイッチギヤの放圧装置の構成を示す斜視図。
【図５】従来の金属閉鎖形スイッチギヤの放圧装置の構成を示す斜視図。
【発明を実施するための形態】
【０００９】
以下、図面を参照して本発明の実施例を説明する。
【実施例１】
【００１０】
先ず、本発明の実施例１に係る金属閉鎖形スイッチギヤの放圧装置を図１を参照して説明する。図１は、本発明の実施例１に係る金属閉鎖形スイッチギヤの放圧装置の構成を示す斜視図である。なお、従来と同様の構成部分は、同一符号を付した。
【００１１】
図１に示すように、箱体１には、正面側に開閉ハンドル２を有する開閉自在の正面扉３が設けられている。天井開口部には、これを覆うように、一辺がそれぞれトルクヒンジ１０ａ、１０ｂ、１０ｃ、１０ｄで固定された開閉自在の板状で複数のフラッパー１１ａ、１１ｂ、１１ｃ、１１ｄが設けられている。図では、フラッパー１１ａ、１１ｂ、１１ｃ、１１ｄが四分割されており、分割された境界部には、内側に図示しない脱落防止板が設けられている。なお、箱体１内には、遮断器のような各種の収納機器が収納されている。
【００１２】
このような構成により、アークが発生して内部圧力が上昇すると、図示二点鎖線で示すように、トルクヒンジ１０ａ、１０ｂ、１０ｃ、１０ｄを支点として、フラッパー１１ａ、１１ｂ、１１ｃ、１１ｄが開放され、高温ガスが放出される。ここで、内部圧力が短時間で急激に高くなる場合では、全てのフラッパー１１ａ、１１ｂ、１１ｃ、１１ｄが開放される。アークエネルギーが小さく低い圧力上昇では、最もアーク点に近いフラッパー１１ａ（１１ｂ、１１ｃ、１１ｄ）が最初に動作し、高温ガスが放出されることになる。
【００１３】
即ち、フラッパー１１ａ、１１ｂ、１１ｃ、１１ｄを複数に分割しているので、それぞれが軽量となり、低い圧力上昇であっても動作するようになる。また、圧力上昇が最大値に達する前においても動作するようになるので、圧力上昇が抑えられ、正面扉３などから高温ガスが噴出することを防止することができる。
【００１４】
なお、フラッパー１１ａ、１１ｂ、１１ｃ、１１ｄを、例えばアルミ材で構成して軽量化を図ると、動作し易くすることができる。アルミ材には、高温に耐える耐熱処理を施してもよい。
【００１５】
上記実施例１の金属閉鎖形スイッチギヤによれば、箱体１の天井開口部に設けるフラッパー１１ａ、１１ｂ、１１ｃ、１１ｄを複数枚に分割しているので、それぞれが軽量となり、低い圧力からでも動作するようになり、高温ガスの放出特性の向上を図ることができる。また、箱体１が変形するような圧力上昇を防ぎ、正面扉３などからの高温ガスの噴出を防止することができる。
【実施例２】
【００１６】
次に、本発明の実施例２に係る金属閉鎖形スイッチギヤの放圧装置を図２を参照して説明する。図２は、本発明の実施例２に係る金属閉鎖形スイッチギヤの放圧装置の構成を示す斜視図である。なお、この実施例２が実施例１と異なる点は、フラッパーの形状である。図２において、実施例１と同様の構成部分においては、同一符号を付し、その詳細な説明を省略する。
【００１７】
図２に示すように、トルクヒンジ１０ａ、１０ｂ、１０ｃ、１０ｄと対向する側のフラッパー１１ａ、１１ｂ、１１ｃ、１１面に、断面円弧状の面積拡大部１２ａ、１２ｂ、１２ｃ、１２ｄを設けている。面積拡大部１２ａ、１２ｂ、１２ｃ、１２ｄは、圧力上昇を受け易いように、内側が膨らんでいる。面積拡大部１２ａ、１２ｂ、１２ｃ、１２ｄは、断面三角状、断面多角状などでもよく、板状よりも表面積を大きくすることができるものとする。なお、フラッパー１１ａ、１１ｂ、１１ｃ、１１ｄの動作は、図示右側のみを二点鎖線で示している。
【００１８】
上記実施例２の金属閉鎖形スイッチギヤの放圧装置によれば、実施例１による効果のほかに、フラッパー１１ａ、１１ｂ、１１ｃ、１１ｄの面積が増加し、より低い圧力から動作させることができる。
【実施例３】
【００１９】
次に、本発明の実施例３に係る金属閉鎖形スイッチギヤの放圧装置を図３を参照して説明する。図３は、本発明の実施例３に係る金属閉鎖形スイッチギヤの放圧装置の構成を示す斜視図である。なお、この実施例３が実施例１と異なる点は、フラッパーの設置方法である。図３において、実施例１と同様の構成部分においては、同一符号を付し、その詳細な説明を省略する。
【００２０】
図３に示すように、箱体１の天井開口部には、中央部が頂点となるような三角状の載置架台１３を設け、この載置架台１３にフラッパー１１ａ、１１ｂ、１１ｃ、１１ｄの両側辺を載置している。フラッパー１１ａ、１１ｂ、１１ｃ、１１ｄは、開放方向に傾斜されることになる。
【００２１】
上記実施例３の金属閉鎖形スイッチギヤの放圧装置によれば、実施例１による効果のほかに、フラッパー１１ａ、１１ｂ、１１ｃ、１１ｄを載置架台１３により開放方向に傾斜させているので、より早く動作させることができる。
【実施例４】
【００２２】
次に、本発明の実施例４に係る金属閉鎖形スイッチギヤの放圧装置を図４を参照して説明する。図４は、本発明の実施例４に係る金属閉鎖形スイッチギヤの放圧装置の構成を示す斜視図である。なお、この実施例４が実施例１と異なる点は、フラッパーの形状である。図４において、実施例１と同様の構成部分においては、同一符号を付し、その詳細な説明を省略する。
【００２３】
図４に示すように、フラッパー１１ａ、１１ｂ、１１ｃ、１１ｄを断面Ｌ字状とし、天井開口部側と対向する垂直に折曲げた側に、バランス荷重１４ａ、１４ｂ、１４ｃ、１４ｄを固定している。バランス荷重１４ａ、１４ｂ、１４ｃ、１４ｄは、天井開口部側のフラッパー１１ａ、１１ｂ、１１ｃ、１１ｄよりも僅かに軽量である。
【００２４】
上記実施例４の金属閉鎖形スイッチギヤの放圧装置によれば、実施例１による効果のほかに、フラッパー１１ａ、１１ｂ、１１ｃ、１１ｄをより早く動作させることができる。
【００２５】
以上述べたような実施形態によれば、低い圧力からフラッパーを動作させることができ、高温ガスの放出特性を向上させることができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１  箱体
２  開閉ハンドル
３  正面扉
４、１０ａ、１０ｂ、１０ｃ、１０ｄ  トルクヒンジ
５、１１ａ、１１ｂ、１１ｃ、１１ｄ  フラッパー
１２ａ、１２ｂ、１２ｃ、１２ｄ  面積拡大部
１３  載置架台
１４ａ、１４ｂ、１４ｃ、１４ｄ  バランス荷重
【図１】
2014045614.tif 000003
【図２】
2014045614.tif 000004
【図３】
2014045614.tif 000005
【図４】
2014045614.tif 000006
【図５】
2014045614.tif 000007